(57)【要約】      （修正有）【課題】少ない試し書き回数にて円滑且つ適正に最適レーザパワーを設定できるレーザパワー調整方法および光記録再生装置を提供する。【解決手段】レーザパワー調整回路は、試し書き用として設定した複数種類のレーザパワーＰｗｎと、それぞれのレーザパワーＰｗｎにて試し書きを行ったときの反射光強度の変調度ｍ（Ｐｗｎ）から、Ｓｎ＝ｍ（Ｐｗｎ）×Ｐｗｎ２を求めるＳ１０３、Ｓ１０６。そして、求めたＳｎとＰｗｎの関係特性を直線近似したときに変調度が零となるレーザパワーＰｗｔｈを求めＳ１０７、このレーザパワーＰｗｔｈに基づいて最適レーザパワーを設定する。ここで、最適レーザパワーは、当該ディスクの目標γ値から、Ｐｗ＝Ｐｗｔｈ×｛１＋１／（γ＋１）｝を算出することにより求めるＳ１０８。目標γ値は、ディスクのＡＤＩＰから取得する。【選択図】図３
2005209287.tif 000002
【特許請求の範囲】
【請求項１】
試し書き領域に試し書きを行ってレーザパワーの強度調整を行うレーザパワー調整方法であって、
試し書きの際に設定した複数種類のレーザパワーＰｗｎと、それぞれのレーザパワーＰｗｎに対する反射光強度の変調度ｍ（Ｐｗｎ）から、レーザパワー毎にＳｎ＝ｍ（Ｐｗｎ）×Ｐｗｎ２を求めるステップと、
ＳｎとＰｗｎの関係特性を線形近似したときに変調度が零となるレーザパワーＰｗｔｈを求めるステップと、
レーザパワーＰｗｔｈに基づいて最適レーザパワーを求めるステップと、
を有することを特徴とするレーザパワー調整方法。
【請求項２】
請求項１において、
前記最適レーザパワーは、当該記録媒体の目標γ値を用いて、
Ｐｗ＝Ｐｗｔｈ×｛１＋１／（γ＋１）｝
を算出することにより求める、
ことを特徴とするレーザパワー調整方法。
【請求項３】
記録媒体にレーザ光を照射して情報を記録再生する光記録再生装置において、
当該記録媒体の目標γ値を取得する手段と、
記録時のレーザパワーを調整するレーザパワー調整手段とを備え、
前記レーザパワー調整手段は、
複数種類のレーザパワーＰｗｎにて前記記録媒体に試し書きを行う手段と、
試し書きの際に設定されたそれぞれのＰｗｎについて反射光強度の変調度ｍ（Ｐｗｎ）を求め、求めた変調度ｍ（Ｐｗｎ）から、Ｓｎ＝ｍ（Ｐｗｎ）×Ｐｗｎ２を求める手段と、
前記ＳｎとＰｗｎの関係特性を線形近似したときに変調度が零となるレーザパワーＰｗｔｈを求める手段と、
前記レーザパワーＰｗｔｈに基づいて最適レーザパワーを求める手段とを有する、
ことを特徴とする光記録再生装置。
【請求項４】
請求項３において、
前記最適レーザパワーは、当該記録媒体の目標γ値を用いて、
Ｐｗ＝Ｐｗｔｈ×｛１＋１／（γ＋１）｝
を算出することにより求める、
ことを特徴とする光記録再生装置。
【請求項５】
請求項３または４において、
前記目標γ値は、当該記録媒体に記録されている制御情報を再生することにより取得する、
ことを特徴とする光記録再生装置。
【発明の詳細な説明】
【技術分野】
【０００１】
本発明は、レーザパワー調整方法および光記録再生装置に関し、特に、記録媒体のγ値に基づいて記録レーザパワーを調整するものに用いて好適なものである。
【背景技術】
【０００２】
現在、ＣＤ−ＲＯＭやＤＶＤ−ＲＯＭなどの再生専用メディアの他、ＣＤ−ＲＷやＤＶＤ−ＲＷなどの書き換え型メディア、あるいは、ＣＤ−Ｒ、ＤＶＤ―Ｒ、ＤＶＤ＋Ｒなどの追記型メディア等、様々な光記録メディアが商品化され普及している。これらの光記録メディアは、メディア種別毎に、記録再生時に用いる最適レーザパワーが相違しており、さらに、同一種別であっても、製造メーカ毎等、個々のメディア毎に最適レーザパワーが相違している。よって、光記録メディアに記録・再生を行うドライブ装置には、個々のメディアに応じて、記録再生時のレーザパワーを最適値に調整するための構成が配備されている。
【０００３】
これらの光記録メディアのうち、ＣＤ−ＲＷやＤＶＤ＋ＲＷは、γ値による記録レーザパワーの調整法（γ法）を用いることが、それぞれの規格書中に記載されている。かかる調整法は、試し書きの際に検出した反射光強度の変調度と、当該メディアに予め設定されている目標γ値に基づいて、記録レーザパワーを最適値に調整するものである。
【０００４】
また、ＤＶＤ＋ＲＷの規格書には、γ法のうち、特に、リニアフィット法を用いることが推奨されている。かかるリニアフィット法は、まず、試し書きの際に設定した数種の記録レーザパワーＰｗｎと、レーザパワーＰｗｎにて試し書きを行ったときの反射光強度の変調度ｍ（Ｐｗｎ）から、Ｓｎ＝ｍ（Ｐｗｎ）×Ｐｗｎを求め、次に、求めたＳｎとＰｗｎの関係特性を直線近似したときに変調度が零となるレーザパワーＰｗｔｈ１を求め、さらに、求めたＰｗｔｈ１と当該メディアの目標γ値から、Ｐｗ＝Ｐｗｔｈ×（１＋１／γ）を演算することにより、最適レーザパワーＰｗを求めるものである。かかるリニアフィット法は、ＳｎとＰｗｎの関係特性に直線近似式が成立することを前提とするものである。
【非特許文献１】２００２年１月２２日、株式会社トリケップス発行、「WHITE SERIES No.218 ＤＶＤ＋ＲＷ／Ｒ」、Ｐ１１１〜Ｐ１１３（4.2 OPC(Optimum Write Power Control)手法）
【発明の開示】
【発明が解決しようとする課題】
【０００５】
しかしながら、本願発明者がＳｎとＰｗｎの関係特性を実際に測定してみたところ、それぞれの測定点は直線状には並ばず、やや蛇行することが分かった。したがって、Ｓｎを２、３個程度求めたのみでは直線近似を正確に行うことはできず、かなりの数の試し書きとＳｎの演算を繰り返さなければ、精度のよいレーザパワーを求めることはできないことが分かった。ところが、試し書きを多数回繰り返すと、その分、レーザパワー調整時の処理負担が増大し、また、レーザパワー調整に長時間を要することとなる。製品化においては、２〜３回程度の試し書きで、レーザパワー調整を精度よく行えるようにすることが求められる。
【０００６】
そこで、本発明は、少ない回数の試し書きでも比較的精度よくレーザパワーを調整できるレーザパワー調整方法および光記録再生装置を提供することを課題とする。
【課題を解決するための手段】
【０００７】
本願発明者は、変調度ｍ（Ｐｗｎ）にレーザワパーＰｗｎの２乗を乗算してＳｎを求めると、ＳｎとＰｗｎの関係特性をさらに乱れなく直線近似できることを発見した。そして、この近似直線において変調度が零となるレーザパワーＰｗｔｈ２から最適レーザパワーを求める手法を新たに見出した。これにより、少ない回数の試し書きでも比較的精度よくレーザパワー調整を行えるようになった。
【０００８】
なお、本願では、本発明の特徴が以下のように抽出されている。
【０００９】
請求項１の発明は、試し書き領域に試し書きを行ってレーザパワーの強度調整を行うレーザパワー調整方法であって、試し書きの際に設定した複数種類のレーザパワーＰｗｎと、それぞれのレーザパワーＰｗｎに対する反射光強度の変調度ｍ（Ｐｗｎ）から、レーザパワー毎にＳｎ＝ｍ（Ｐｗｎ）×Ｐｗｎ２を求めるステップと、ＳｎとＰｗｎの関係特性を線形近似したときに変調度が零となるレーザパワーＰｗｔｈを求めるステップと、レーザパワーＰｗｔｈに基づいて最適レーザパワーを求めるステップとを有することを特徴とする。
【００１０】
請求項２の発明は、請求項１に記載のレーザパワー調整方法において、前記最適レーザパワーは、当該記録媒体の目標γ値を用いて、Ｐｗ＝Ｐｗｔｈ×｛１＋１／（γ＋１）｝を算出することにより求めることを特徴とする。
【００１１】
請求項３の発明は、記録媒体にレーザ光を照射して情報を記録再生する光記録再生装置において、当該記録媒体の目標γ値を取得する手段と、記録時のレーザパワーを調整するレーザパワー調整手段とを備え、前記レーザパワー調整手段は、複数種類のレーザパワーＰｗｎにて前記記録媒体に試し書きを行う手段と、試し書きの際に設定されたそれぞれのＰｗｎについて反射光強度の変調度ｍ（Ｐｗｎ）を求め、求めた変調度ｍ（Ｐｗｎ）から、Ｓｎ＝ｍ（Ｐｗｎ）×Ｐｗｎ２を求める手段と、前記ＳｎとＰｗｎの関係特性を線形近似したときに変調度が零となるレーザパワーＰｗｔｈを求める手段と、前記レーザパワーＰｗｔｈに基づいて最適レーザパワーを求める手段とを有することを特徴とする。
【００１２】
請求項４の発明は、請求項３に記載の光記録再生装置において、前記最適レーザパワーは、当該記録媒体の目標γ値を用いて、Ｐｗ＝Ｐｗｔｈ×｛１＋１／（γ＋１）｝を算出することにより求めることを特徴とする。
【００１３】
請求項５の発明は、請求項３または４に記載の光記録再生装置において、前記目標γ値は、当該記録媒体に記録されている制御情報を再生することにより取得することを特徴とする。
【００１４】
上記において、変調度ｍ（Ｐｗｎ）は、通常、試し書きを行った後に試し書きエリアを再生し、このときの反射レーザ光の強度を検出して求められる。ただし、変調度を正確に求めることができれば、試し書きの際に記録媒体から反射されるレーザ光の強度を検出して求めるようにしても良い。
【００１５】
なお、「変調度」とは、非記録マーク領域からの反射光強度をＰ０、記録マーク領域からの反射光強度をＰ１としたとき、（Ｐ０−Ｐ１）／Ｐ０で与えられるものである。
【００１６】
なお、γ値は、以下に示す関係式を満たすことが知られている。
γ＝｛ｄｍ（Ｐｗ）／ｄＰｗ｝×｛Ｐｗ／ｍ（Ｐｗ）｝  …（１）
【００１７】
上記非特許文献１に記載のリニアフィット法は、上記のとおり、次の関係式が成立することを前提としている。
ｍ（Ｐｗ）×Ｐｗ＝Ｍ×（Ｐｗ−Ｐｗｔｈ）  …（２）
ここで、Ｍは、Ｐｗ＝∞としたときの変調度ｍ（Ｐｗ）の収束値である。
【００１８】
上記非特許文献１に記載のリニアフィット法は、式（１）と式（２）から最適レーザパワーＰｗを求めるものである。すなわち、式（２）を式（１）に代入することにより、次式が得られる。
γ＝Ｐｗｔｈ／（Ｐｗ−Ｐｗｔｈ）  …（３）
【００１９】
この式（３）をＰｗについて変形して、上記リニアフィット法による最適レーザパワーＰｗが次式として求められる。
Ｐｗ＝Ｐｗｔｈ×（１＋１／γ）  …（４）
【００２０】
これに対し、本願発明者は、上記式（２）が成立するとの前提を覆し、これに代えて、次式が成立することを実測結果から見出した。
ｍ（Ｐｗ）×Ｐｗ２＝Ｍ×（Ｐｗ−Ｐｗｔｈ）  …（５）
【００２１】
この式（５）を式（１）に代入することにより、次式が得られる。
γ＝｛２Ｐｗｔｈ−Ｐｗ｝／（Ｐｗ−Ｐｗｔｈ）  …（６）
【００２２】
この式（６）をＰｗについて変形して、上記請求項２および４に記載の最適レーザパワーＰｗが次式として求められる。
Ｐｗ＝Ｐｗｔｈ×｛１＋１／（γ＋１）｝  …（７）
【００２３】
本発明の特徴は、以下に示す実施の形態の説明により更に明らかとなろう。但し、以下の実施の形態は、あくまでも、本発明の一つの実施形態であって、本発明ないし各構成要件の用語の意義は、以下の実施の形態に記載されたものに制限されるものではない。
【発明の効果】
【００２４】
本発明によれば、上記リニアフィット法において用いたＳｎ＝ｍ（Ｐｗｎ）×Ｐｗｎに代えて、Ｓｎ＝ｍ（Ｐｗｎ）×Ｐｗｎ２を用いて直線近似することにより、直線近似の乱れを解消することができる。もって、少ない回数の試し書きでも比較的精度よくレーザパワーを調整することができる。
【００２５】
本発明にて奏される作用効果は、以下に示す実施の形態の説明により、さらに明瞭に理解されよう。
【発明を実施するための最良の形態】
【００２６】
以下、本発明の実施の形態につき図面を参照して説明する。
【００２７】
まず、図１に実施の形態に係るディスク（ＤＶＤ＋ＲＷ）の構成を示す。図示の如く、ディスク１００は、その径方向に、リードイン領域、データ領域、リードアウト領域にエリア分割されている。さらに、リードイン領域とリードアウト領域は種々のゾーンに区分されており、このうち、インナーディスクドライブゾーンおよびアウターディスクドライブゾーンを用いて、レーザパワー調整（ＯＰＣ：Optimum Write Power Control）が行われる。
【００２８】
また、ディスク１００には、内周から外周に向かって螺旋状のグルーブが形成されており、このグルーブに対してデータが記録される。ここで、グルーブは、径方向に蛇行（ウォブル）しており、かかるウォブルは、ＡＤＩＰ（Address in pre-groove）と呼ばれる位相変調区間が、単調蛇行区間に一定周期で挿入されるようにして形成されている。かかる位相変調区間をビームが走査するときに、グルーブ上のアドレスが読み取られ再生される。また、リードイン領域のＡＤＩＰには、当該ディスクに対する種々の制御データが位相変調によって記録されており、その中に、当該ディスクに対して与えられるべき目標γ値が含まれている。
【００２９】
図２に、実施の形態に係る光ディスク装置の構成を示す。
【００３０】
図示の如く、光ディスク装置は、ＥＣＣエンコーダ１０１と、変調回路１０２と、レーザ駆動回路１０３と、レーザパワー調整回路１０４と、光ピックアップ１０５と、信号増幅回路１０６と、復調回路１０７と、ＥＣＣデコーダ１０８と、サーボ回路１０９と、ＡＤＩＰ再生回路１１０と、コントローラ１１１から構成されている。
【００３１】
ＥＣＣエンコーダ１０１は、入力された記録データに誤り訂正符号を付加し、変調回路１０２へと出力する。変調回路１０２は、入力された記録データに所定の変調を施し、さらに記録信号を生成してレーザ駆動回路１０３に出力する。レーザ駆動回路１０３は、記録時には変調回路１０２からの記録信号に応じた駆動信号を半導体レーザ１０５ａに出力し、再生時には単一強度のレーザ光を出射するための駆動信号を半導体レーザ１０５ａに出力する。ここで、レーザパワーは、レーザパワー調整回路１０４によって調整・設定されたレーザパワーに設定される。
【００３２】
レーザパワー調整回路１０４は、試し書きの際に検出される再生ＲＦ信号の強度から変調度ｍ（Ｐｗｎ）を算出するとともに、算出した変調度ｍ（Ｐｗｎ）と当該ディスクの目標γ値に基づいてレーザパワーを最適値に調整・設定する。なお、レーザパワーの調整処理については、追って詳述する。
【００３３】
光ピックアップ１０５は、半導体レーザ１０５ａおよび光検出器１０５ｂを備え、レーザ光をグルーブ上に収束させることにより、ディスクに対するデータの書き込み／読み出しを行う。なお、かかる光ピックアップ１０５は、この他、グルーブに対するレーザ光の収束位置を調整するための対物レンズアクチュエータと、半導体レーザ１０５ａから出射されたレーザ光を対物レンズに導き、且つ、ディスク１００からの反射光を光検出器１０５ｂに導くための光学系等を備えている。
【００３４】
信号増幅回路１０６は、光検出器１０５ｂから受信した信号を増幅および演算処理して各種信号を生成し、これを対応する回路に出力する。復調回路１０７は、信号増幅回路１０６から入力された再生ＲＦ信号を復調して再生データを生成し、ＥＣＣデコーダ１０８に出力する。ＥＣＣデコーダ１０８は、復調回路１０７から入力された再生データに誤り訂正を施し、後段回路に出力する。
【００３５】
サーボ回路１０９は、信号増幅回路１０６から入力されたフォーカスエラー信号およびトラッキングエラー信号からフォーカスサーボ信号およびトラッキングサーボ信号を生成し、光ピックアップ１０５の対物レンズアクチュエータに出力する。さらに、信号増幅回路１０６から入力されたウォブル信号からモータサーボ信号を生成し、ディスク駆動モータに出力する。
【００３６】
ＡＤＩＰ再生回路１１０は、信号増幅回路１０６から入力されたウォブル信号からアドレスデータおよび各種コントロールデータを再生し、コントローラ１１１に出力する。コントローラ１１１は、内蔵メモリに格納されたプログラムに従って、各部を制御する。
【００３７】
ディスク１００が光ディスク装置に装着されると、リードイン領域のＡＤＩＰに記録されている各種制御データが読み取られ、コントローラ１１１に記憶される。その後、記録指令が入力されると、リードイン領域のインナーディスクドライブゾーンまたはリードアウト領域のアウターディスクドライブ領域に試し書きがなされ、さらに試し書きがなされた領域を再生することにより、当該記録時の最適レーザパワーＰｗが設定される。
【００３８】
図３に、本実施の形態に係る最適レーザパワーＰｗの設定処理を示す。
【００３９】
レーザパワーの調整処理が開始されると、上記何れかのディスクドライブゾーン（テストゾーン）に、レーザパワーＰｗ１で所定のデータを書き込む（Ｓ１０１）。そして、書き込んだデータを再生し、このときの再生ＲＦ信号の強度から変調度ｍ１を算出する（Ｓ１０２）。さらに、算出した変調度ｍ１とレーザパワーＰｗ１からＳ１＝ｍ１×Ｐｗ１２を算出する（Ｓ１０３）。
【００４０】
同様に、当該ディスクドライブゾーン（テストゾーン）に、レーザパワーＰｗ２（Ｐｗ２≠Ｐｗ１）で所定のデータを書き込む（Ｓ１０４）。そして、書き込んだデータを再生し、このときの再生ＲＦ信号の強度から変調度ｍ２を算出する（Ｓ１０５）。さらに、算出した変調度ｍ２とレーザパワーＰｗ２からＳ２＝ｍ２×Ｐｗ２２を算出する（Ｓ１０６）。
【００４１】
しかる後、算出したＳ１、Ｓ２から近似直線を求め、近似直線の値がゼロになるレーザパワーＰｗｔｈ２を算出する（Ｓ１０７）。そして、算出したＰｗｔｈ２と、当該ディスクに設定された目標γ値から、Ｐｗ＝Ｐｗｔｈ２×｛１＋１／（γ＋１）｝を算出し、これを最適レーザパワーに設定する（Ｓ１０８）。なお、目標γ値は、レーザパワー調整時に、コントローラ１１１からレーザパワー調整回路１０４に供給される。かかる目標γ値は、上記の如く、ディスク装着時に、当該ディスクのリードイン領域のＡＤＩＰから読み取り再生され、コントローラ１１１に記憶されている。
【００４２】
次に、上記リニアフィット法によるレーザパワー調整方法と比較しながら、本実施の形態に係るレーザパワー調整方法の技術的効果について実証する。
【００４３】
＜実証例１＞
本実証例は、製造メーカＡのＤＶＤ＋ＲＷディスクをサンプルディスクとして、変調度ｍ（Ｐｗｎ）、積算値Ｓｎ＝ｍ（Ｐｗｎ）×Ｐｗｎ（リニアフィット法）、積算値Ｓｎ＝ｍ（Ｐｗｎ）×Ｐｗｎ２（本実施例）を実測・算出し、これをもとに最適レーザパワーＰｗを算出したものである。
【００４４】
図４に、かかる場合の実測・算出結果を数値として示す。図５は、求めた変調度ｍ（Ｐｗｎ）をグラフ化したもの、図６は、求めた積算値Ｓｎ＝ｍ（Ｐｗｎ）×Ｐｗｎ（リニアフィット法）をグラフ化したもの、図７は、求めた積算値Ｓｎ＝ｍ（Ｐｗｎ）×Ｐｗｎ２（本実施例）をグラフ化したものである。
【００４５】
図６に示す如く、積算値Ｓｎ＝ｍ（Ｐｗｎ）×Ｐｗｎ（リニアフィット法）では、積算値Ｓｎのプロットが、近似直線（ｙ＝147.09ｘ−1632.1）上を蛇行していることが分かる。このため、たとえば、１６（ｍｗ）〜２０（ｍｗ）のレンジのレーザパワーにて試し書きを行った場合と、２０（ｍｗ）〜２４（ｍｗ）のレンジのレーザパワーにて試し書きを行った場合とでは、近似直線の傾きが大きく相違し、それぞれの場合に取得されるＰｗｔｈ１に大きな差異が生じる。つまり、従来のリニアフィット法では、どのレンジのレーザパワーにて試し書きを行うかによってＰｗｔｈ１が大きく相違する。したがって、これをもとに算出されるレーザパワーＰｗも、試し書き時に設定されるレーザパワーＰｗｎに大きく影響を受けることとなる。
【００４６】
なお、図６中、右下点線囲み内の数値は、当該ディスクに設定された目標γ値（当該ディスクのＡＤＩＰから取得）と、上記リニアフィット法に従って算出したＰｗｔｈ１および最適レーザパワーＰｗを示すものである。
【００４７】
これに対し、本実施形態に係るレーザパワー調整方法では、図７に示す如く、積算値Ｓｎのプロットが、近似直線（ｙ＝4132.1ｘ−55751）上に、略ばらつきなく整列されている。このため、何れのレンジのレーザパワーにて試し書きを行ったとしても、近似曲線の傾きはほぼ同じとなり、その結果、常にほぼ同一のＰｗｔｈ２を取得することができる。よって、これをもとに算出されるレーザパワーＰｗも、試し書き時にどのようなレーザパワーＰｗｎを用いるかに関係なく、ほぼ同一の値を持つこととなる。
【００４８】
このように、本実施の形態では、試し書き時に如何なるレーザパワーが設定されようとも、円滑に、最適レーザパワーを設定することができる。また、積算値Ｓｎのプロットが、近似直線上に、略ばらつきなく整列されることから、上記実施の形態における構成例のように、２点の積算値Ｓｎのみからでも、適正な近似曲線を取得することができ、よって、少ない試し書き回数によっても適正なレーザパワーを設定することができる。
【００４９】
なお、図７中、右下点線囲み内の数値は、当該ディスクに設定された目標γ値（当該ディスクのＡＤＩＰから取得）と、実施の形態に従って算出したＰｗｔｈ２および最適レーザパワーＰｗを示すものである。
【００５０】
＜実証例２＞
本実証例は、上記製造メーカＡとは異なる製造メーカＢのＤＶＤ＋ＲＷディスクをサンプルディスクとして、変調度ｍ（Ｐｗｎ）、積算値Ｓｎ＝ｍ（Ｐｗｎ）×Ｐｗｎ（リニアフィット法）、積算値Ｓｎ＝ｍ（Ｐｗｎ）×Ｐｗｎ２（本実施例）を実測・算出し、これをもとに最適レーザパワーＰｗを算出したものである。
【００５１】
図８に、かかる場合の実測・算出結果を数値として示す。図９は、求めた変調度ｍ（Ｐｗｎ）をグラフ化したもの、図１０は、求めた積算値Ｓｎ＝ｍ（Ｐｗｎ）×Ｐｗｎ（リニアフィット法）をグラフ化したもの、図１１は、求めた積算値Ｓｎ＝ｍ（Ｐｗｎ）×Ｐｗｎ２（本実施例）をグラフ化したものである。
【００５２】
図１０に示す如く、積算値Ｓｎ＝ｍ（Ｐｗｎ）×Ｐｗｎ（リニアフィット法）では、積算値Ｓｎのプロットが、近似直線（ｙ＝139.96ｘ−1036.9）上を蛇行していることが分かる。このため、たとえば、１１（ｍｗ）〜１５（ｍｗ）のレンジのレーザパワーにて試し書きを行った場合と、１５（ｍｗ）〜１９（ｍｗ）のレンジのレーザパワーにて試し書きを行った場合とでは、近似直線の傾きが大きく相違し、それぞれの場合に取得されるＰｗｔｈ１に大きな差異が生じる。つまり、従来のリニアフィット法では、どのレンジのレーザパワーにて試し書きを行うかによってＰｗｔｈ１が大きく相違する。したがって、これをもとに算出されるレーザパワーＰｗも、試し書き時に設定されるレーザパワーＰｗｎに大きく影響を受けることとなる。
【００５３】
なお、図１０中、右下点線囲み内の数値は、当該ディスクに設定された目標γ値（当該ディスクのＡＤＩＰから取得）と、上記リニアフィット法に従って算出したＰｗｔｈ１および最適レーザパワーＰｗを示すものである。
【００５４】
これに対し、本実施形態に係るレーザパワー調整方法では、図１１に示す如く、積算値Ｓｎのプロットが、近似直線（ｙ＝3155.1ｘ−30661）上に、略ばらつきなく整列されている。このため、何れのレンジのレーザパワーにて試し書きを行ったとしても、近似曲線の傾きはほぼ同じとなり、その結果、常にほぼ同一のＰｗｔｈ２を取得することができる。よって、これをもとに算出されるレーザパワーＰｗも、試し書き時にどのようなレーザパワーＰｗｎを用いるかに関係なく、ほぼ同一の値を持つこととなる。
【００５５】
このように、本実施の形態では、試し書き時に如何なるレーザパワーが設定されようとも、円滑に、最適レーザパワーを設定することができる。また、積算値Ｓｎのプロットが、近似直線上に、略ばらつきなく整列されることから、上記実施の形態における構成例のように、２点の積算値Ｓｎのみからでも、適正な近似曲線を取得することができ、よって、少ない試し書き回数によっても適正なレーザパワーを設定することができる。
【００５６】
なお、図１１中、右下点線囲み内の数値は、当該ディスクに設定された目標γ値（当該ディスクのＡＤＩＰから取得）と、実施の形態に従って算出したＰｗｔｈ２および最適レーザパワーＰｗを示すものである。
【００５７】
なお、図６および図７の点線囲み内の数値、あるいは、図６および図７の点線囲み内の数値に示す如く、本実施の形態に従って設定された最適レーザパワーＰｗは、上記リニアフィット法に従って設定された最適レーザパワーＰｗに比べ、８％程度大きな値となっている。ただし、このようにレーザパワーＰｗが相違しても、当該ディスクに対し、円滑且つ適正に記録再生を行えることが、発明者による記録再生特性の検証から確認されている。
【００５８】
以上の如く、本実施の形態によれば、少ない試し書き回数にて円滑且つ適正に最適レーザパワーを設定することができる。
【００５９】
なお、本発明は、上記実施の形態に限定されるものではなく、他に種々の変更が可能であることは言うまでもない。
【００６０】
たとえば、上記実施の形態では、試し書き回数を２回としたが、２回以上の試し書き回数であれば、特に回数を限定するものではない。
【００６１】
また、上記実施の形態では、試し書きを行う毎に再生を行って変調度等を算出するようにしたが、まず、レーザパワーを変えながら試し書きを行い、次に、それぞれの試し書きを再生して変調度等を算出するようにしても良い。
【００６２】
さらに、本発明は、ＤＶＤ＋ＲＷに限らず、ＣＤ−ＲＷ等の他の媒体に記録再生を行うドライブ装置に適用することも可能である。
【００６３】
なお、上記実施の形態に示す如くして求めた最適レーザパワーを、さらに、実験的ないし統計的傾向から微調整するようにしても良い。たとえば、図６および図７、あるいは、図１０および図１１の点線囲み内の数値に示す如く、本実施の形態における最適レーザパワーＰｗは、上記リニアフィット法における最適レーザパワーＰｗに比べ、８％程度大きな値となっていることから、本実施の形態における最適レーザパワーＰｗをさらに数％小さく調整するようにしても良い。
【００６４】
本発明の実施の形態は、特許請求の範囲に示された技術的思想の範囲内において、適宜、種々の変更が可能である。
【図面の簡単な説明】
【００６５】
【図１】実施の形態に係る光ディスクの構成を示す図
【図２】実施の形態に係る光ディスク装置の構成を示す図
【図３】実施の形態に係るレーザパワー調整処理を示すフローチャート
【図４】検証例１における測定結果および算出結果を示す図
【図５】検証例１における変調度の算出結果を示す図
【図６】検証例１における積算値Ｓｎ＝ｍ（Ｐｗ）×Ｐｗの算出結果を示す図
【図７】検証例１における積算値Ｓｎ＝ｍ（Ｐｗ）×Ｐｗ２の算出結果を示す図
【図８】検証例２における測定結果および算出結果を示す図
【図９】検証例２における変調度の算出結果を示す図
【図１０】検証例２における積算値Ｓｎ＝ｍ（Ｐｗ）×Ｐｗの算出結果を示す図
【図１１】検証例２における積算値Ｓｎ＝ｍ（Ｐｗ）×Ｐｗ２の算出結果を示す図
【符号の説明】
【００６６】
１０３  レーザ駆動回路
１０４  レーザパワー調整回路
１０５  光ピックアップ
１０６  信号増幅回路
１１０  ＡＤＩＰ再生回路
【図１】
2005209287.tif 000003
【図２】
2005209287.tif 000004
【図３】
2005209287.tif 000005
【図４】
2005209287.tif 000006
【図５】
2005209287.tif 000007
【図６】
2005209287.tif 000008
【図７】
2005209287.tif 000009
【図８】
2005209287.tif 000010
【図９】
2005209287.tif 000011
【図１０】
2005209287.tif 000012
【図１１】
2005209287.tif 000013